【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
光を射出する光源装置と、
外装を構成する外装筐体と、
前記外装筐体に設けられ、前記光源装置を収納する収納体と、
前記光源装置を前記収納体へ付勢する弾性部材と、を備え、
前記収納体は、
前記弾性部材を回動可能に軸支する軸支部と、
前記弾性部材を係止する係止部と、を有し、
前記弾性部材は、前記係止部により前記収納体に収納された前記光源装置から離れる方向への回動が規制されることで、前記光源装置を前記収納体に向けて付勢する
ことを特徴とするプロジェクター。
【請求項２】
請求項１に記載のプロジェクターにおいて、
前記光源装置は、前記収納体に対して位置決めされる第１係合部を有し、
前記収納体は、前記第１係合部と係合する第２係合部を有し、
前記弾性部材は、前記弾性部材が前記光源装置を前記収納体に向けて付勢する方向において、前記第１係合部と前記第２係合部とが係合する係合位置に対応する前記光源装置の位置を付勢する
ことを特徴とするプロジェクター。
【請求項３】
請求項１または請求項２に記載のプロジェクターにおいて、
前記弾性部材が前記光源装置と当接して前記光源装置を前記収納体側へ付勢する付勢位置と前記弾性部材を係止する前記係止部との距離は、前記付勢位置と前記弾性部材を軸支する前記軸支部との距離よりも大きい
ことを特徴とするプロジェクター。
【請求項４】
請求項１から請求項３のいずれかに記載のプロジェクターにおいて、
前記収納体は、複数の前記軸支部を有し、
前記弾性部材は、
一方向に延出する先端部と、
前記先端部の延出方向と交差する方向に延出し、一端が前記先端部に接続され、他端がそれぞれの前記軸支部によって回転可能に軸支される複数の延出部と、を有する
ことを特徴とするプロジェクター。
【請求項５】
請求項１から請求項４のいずれかに記載のプロジェクターにおいて、
前記係止部は、前記光源装置における温度の低い位置に設けられている
ことを特徴とするプロジェクター。
【請求項６】
請求項１から請求項５のいずれかに記載のプロジェクターにおいて、
前記収納体は、前記光源装置を前記収納体に向けて付勢していない位置に位置する前記弾性部材に対し、前記収納体へ近づく方向への回動を規制する規制部を備える
ことを特徴とするプロジェクター。
【手続補正２】
【補正対象書類名】明細書
【補正対象項目名】０００６
【補正方法】変更
【補正の内容】
【０００６】
本発明のプロジェクターは、光を射出する光源装置と、外装を構成する外装筐体と、前記外装筐体に設けられ、前記光源装置を収納する収納体と、前記光源装置を前記収納体へ付勢する弾性部材と、を備え、前記収納体は、前記弾性部材を回動可能に軸支する軸支部と、前記弾性部材を係止する係止部と、を有し、前記弾性部材は、前記係止部により前記収納体に収納された前記光源装置から離れる方向への回動が規制されることで、前記光源装置を前記収納体に向けて付勢することを特徴とする。
本発明では、前記光源装置は、前記収納体に対して位置決めされる第１係合部を有し、前記収納体は、前記第１係合部と係合する第２係合部を有し、前記弾性部材は、前記弾性部材が前記光源装置を前記収納体に向けて付勢する方向において、前記第１係合部と前記第２係合部とが係合する係合位置に対応する前記光源装置の位置を付勢することが好ましい。
本発明では、前記弾性部材が前記光源装置と当接して前記光源装置を前記収納体側へ付勢する付勢位置と前記弾性部材を係止する前記係止部との距離は、前記付勢位置と前記弾性部材を軸支する前記軸支部との距離よりも大きいことが好ましい。
本発明では、前記収納体は、複数の前記軸支部を有し、前記弾性部材は、一方向に延出する先端部と、前記先端部の延出方向と交差する方向に延出し、一端が前記先端部に接続され、他端がそれぞれの前記軸支部によって回転可能に軸支される複数の延出部と、を有することが好ましい。
本発明では、前記係止部は、前記光源装置における温度の低い位置に設けられていることが好ましい。
本発明では、前記収納体は、前記光源装置を前記収納体に向けて付勢していない位置に位置する前記弾性部材に対し、前記収納体へ近づく方向への回動を規制する規制部を備えることが好ましい。
【手続補正３】
【補正対象書類名】明細書
【補正対象項目名】０００７
【補正方法】変更
【補正の内容】
【０００７】
本発明の関連技術に係るプロジェクターは、光源装置と、前記光源装置が収納される収納体とを備えたプロジェクターであって、金属製の棒状部材に曲げ加工が施された弾性部材を備え、前記収納体は、前記収納体内外へ回動可能に前記弾性部材を軸支する軸支部と、前記弾性部材を係止して、前記収納体外部への回動を規制する係止部とを備え、前記弾性部材は、前記光源装置が前記収納体に収納された状態で、前記係止部に係止することで前記光源装置を前記収納体に向けて付勢することを特徴とする。
上記関連技術での弾性部材は、収納体内外へ回動可能に支持されているので、収納体の外部に向けて回動し、光源装置が収納体から取り外し可能な状態（以下、開位置と記載）、または収納体の内部に向けて回動し、係止部に係止することで光源装置を付勢する状態（以下、閉位置と記載）に回動可能となっている。
これによれば、光源装置を新たな光源装置に交換する際には、弾性部材を閉位置から開位置に向けて回動させることで、弾性部材と係止部との係止が解除されるとともに、弾性部材の光源装置への付勢が解除される。すなわち、弾性部材を閉位置から開位置へ回動するのみの作業で、光源装置を取り外すことが可能な状態にできる。
そして、光源装置を取り外した後、新たな光源装置を収納体に収納し、弾性部材を開位置から閉位置に向けて回動させる。これにより、弾性部材は、係止部に係止するので、光源装置を付勢し、光源装置が収納体に収納保持される。
従って、弾性部材を開位置または閉位置に向けて回動させるのみの簡単な作業で光源装置の交換を行うことができ、交換作業を容易にできる。
【手続補正４】
【補正対象書類名】明細書
【補正対象項目名】０００８
【補正方法】変更
【補正の内容】
【０００８】
上記関連技術では、前記弾性部材は、一方向に延出する先端部と、前記先端部の両端から折り曲げられて、略同方向に延出する一対の延出部とを備え、前記軸支部は、前記一対の延出部の先端部分を軸支することが好ましい。
【手続補正５】
【補正対象書類名】明細書
【補正対象項目名】０００９
【補正方法】変更
【補正の内容】
【０００９】
上記関連技術によれば、弾性部材は、先端部と一対の延出部とを備え、軸支部が一対の延出部の先端部分を軸支している。このため、弾性部材が閉位置に位置付けられて、光源装置を付勢する際、弾性部材は、光源装置を覆うようにバランス良く付勢することができる。従って、簡素な構成で、光源装置を収納体により良好に保持させることができる。
【手続補正６】
【補正対象書類名】明細書
【補正対象項目名】００１０
【補正方法】変更
【補正の内容】
【００１０】
上記関連技術では、前記係止部は、前記光源装置における温度の低い側に設けられていることが好ましい。
【手続補正７】
【補正対象書類名】明細書
【補正対象項目名】００１１
【補正方法】変更
【補正の内容】
【００１１】
ここで、光源装置は、光源ランプが点灯することで温度上昇するため、光源装置における特に温度の高い箇所に近接する収納体も高温となりやすく、劣化するおそれがある。
上記関連技術によれば、係止部は、光源装置における温度の低い箇所に近接する収納体の温度の低い箇所に設けられており、係止部の温度による熱劣化を防止できる。このため、係止部の寿命を長寿命化でき、長期間使用した場合においても、光源装置を収納体に良好に保持させることができる。
【手続補正８】
【補正対象書類名】明細書
【補正対象項目名】００１２
【補正方法】変更
【補正の内容】
【００１２】
上記関連技術では、前記弾性部材が前記光源装置を付勢する付勢位置から前記係止部までの距離は、前記付勢位置から前記軸支部までの距離よりも長く設定されていることが好ましい。
【手続補正９】
【補正対象書類名】明細書
【補正対象項目名】００１３
【補正方法】変更
【補正の内容】
【００１３】
上記関連技術によれば、弾性部材が光源装置を付勢する付勢位置から係止部までの距離が、付勢位置から軸支部までの距離よりも長く設定されているので、光源装置を付勢する力に対して係止部に加わる反力を小さくすることができる。従って、長期間使用した場合においても、係止部の劣化を防止でき、弾性部材が係止部から外れることを防止できる。このため、光源装置を収納体に良好に保持させることができる。
【手続補正１０】
【補正対象書類名】明細書
【補正対象項目名】００１４
【補正方法】変更
【補正の内容】
【００１４】
上記関連技術では、前記収納体の底部には、前記光源装置に係合する係合部が形成され、前記弾性部材は、平面視で前記光源装置における前記係合部と対応する位置を付勢することが好ましい。
【手続補正１１】
【補正対象書類名】明細書
【補正対象項目名】００１５
【補正方法】変更
【補正の内容】
【００１５】
上記関連技術によれば、光源装置は、収納体の底部の係合部と係合されて、収納体に収納配置される。そして、平面視において、弾性部材が光源装置における係合部と対応する位置を付勢することで、光源装置は、弾性部材の付勢力によって収納体に良好に保持され、これに伴って、付勢する位置と対応する位置にある係合部に強固に係合される。従って、光源装置の収納体の内部での位置ずれを確実に防止でき、収納体により良好に保持される。
【手続補正１２】
【補正対象書類名】明細書
【補正対象項目名】００１６
【補正方法】変更
【補正の内容】
【００１６】
上記関連技術では、前記収納体は、前記弾性部材が前記収納体外部に回動した状態において、前記収納体内部への回動を規制する規制部を備えることが好ましい。
【手続補正１３】
【補正対象書類名】明細書
【補正対象項目名】００１７
【補正方法】変更
【補正の内容】
【００１７】
上記関連技術によれば、規制部は、弾性部材の収納体内部への回動を規制するので、光源装置の交換作業中に、弾性部材を開位置に位置付けた場合において、弾性部材が収納体内部へ回動することを防止でき、作業の煩雑化を防止できる。